(57)【要約】【課題】簡単な構成で防水性に優れた照明用光源を提供する。【解決手段】照明器具１００のソケット１１０に装着されるＬＥＤ電球（照明用光源）１であって、第１開口部２０ａ及び第２開口部２０ｂを有する筐体２０と、第１開口部２０ａを塞ぐように筐体２０に取り付けられたグローブ１０と、第２開口部２０ｂを塞ぐように筐体２０に取り付けられ、ソケット１１０に装着される口金３０と、ＬＥＤ（発光素子）４１を有し、グローブ１０に覆われたＬＥＤ光源（光源部）４０とを備え、筐体２０の外面の少なくとも一部は、フラット面であり、当該フラット面は、口金３０がソケット１１０に装着されたときに、ソケット１１０の開口部１１１ａの環状端部に当接する。【選択図】図４
2014175099.tif 000002
【特許請求の範囲】
【請求項１】
照明器具のソケットに装着される照明用光源であって、
第１開口部及び第２開口部を有する筐体と、
前記第１開口部を塞ぐように前記筐体に取り付けられたグローブと、
前記第２開口部を塞ぐように前記筐体に取り付けられ、前記ソケットに装着される口金と、
発光素子を有し、前記グローブに覆われた光源部とを備え、
前記筐体の外面の少なくとも一部は、フラット面であり、
前記フラット面は、前記口金が前記ソケットに装着されたときに、前記ソケットの開口部の環状端部に当接する
照明用光源。
【請求項２】
当該照明用光源は、回転させることにより前記ソケットに装着され、
前記フラット面の法線は、当該照明用光源の回転軸と略一致している
請求項１に記載の照明用光源。
【請求項３】
前記筐体は、前記第１開口部を有する第１筐体部と、前記第２開口部を有する第２筐体部と、前記第１筐体部と前記第２筐体部とを接続する第３筐体部とを有し、
前記第１筐体部及び前記第３筐体部は、円筒側壁を有し、
前記第１筐体部の外径は、前記第３筐体部の外径よりも大きく、
前記第１筐体部は、当該第１筐体部の前記円筒側壁と前記第３筐体部の前記円筒側壁とを接続する環状板を有し、
前記環状板の外面は、前記フラット面である
請求項１又は２に記載の照明用光源。
【請求項４】
さらに、前記筐体の内方に配置された駆動回路を備える
請求項１〜３のいずれか１項に記載の照明用光源。
【請求項５】
照明用光源と、前記照明用光源が装着されるソケットを有する照明器具とを備える照明装置であって、
前記照明用光源は、
第１開口部及び第２開口部を有する筐体と、
前記第１開口部を塞ぐように前記筐体に取り付けられたグローブと、
前記第２開口部を塞ぐように前記筐体に取り付けられ、前記ソケットに装着される口金と、
発光素子を有し、前記グローブに覆われた光源部とを備え、
前記ソケットは、
外郭をなすソケット筐体と、
前記ソケット筐体の内部に配置され、前記口金と電気的に接続される接続部とを備え、
前記筐体の外面の少なくとも一部は、フラット面であり、
前記ソケット筐体は、前記開口部を有し、
前記フラット面は、前記開口部の環状端部に当接している
照明装置。
【請求項６】
前記照明用光源は、回転させることにより前記ソケットに装着され、
前記フラット面の法線は、前記照明用光源の回転軸と略一致している
請求項５に記載の照明装置。
【請求項７】
前記筐体は、前記第１開口部を有する第１筐体部と、前記第２開口部を有する第２筐体部と、前記第１筐体部と前記第２筐体部とを接続する第３筐体部とを有し、
前記第１筐体部及び前記第３筐体部は、円筒側壁を有し、
前記第１筐体部の外径は、前記第３筐体部の外径よりも大きく、
前記第１筐体部は、当該第１筐体部の前記円筒側壁と前記第３筐体部の前記円筒側壁とを接続する環状板を有し、
前記環状板の外面は、前記フラット面である
請求項５又は６に記載の照明装置。
【請求項８】
前記ソケット筐体の前記開口部の環状端部は、フラット面である
請求項５〜７のいずれか１項に記載の照明装置。
【請求項９】
さらに、前記筐体の内方に配置された駆動回路を備える
請求項５〜８のいずれか１項に記載の照明装置。
【発明の詳細な説明】
【技術分野】
【０００１】
本発明は、発光ダイオード（ＬＥＤ：Ｌｉｇｈｔ  Ｅｍｉｔｔｉｎｇ  Ｄｉｏｄｅ）を用いたＬＥＤ電球等の照明用光源及びこれを備えた照明装置に関する。
【背景技術】
【０００２】
ＬＥＤ等の半導体発光素子は、小型、高効率及び長寿命であることから、様々な製品の光源として期待されている。中でも、ＬＥＤ電球（電球形ＬＥＤランプ）は、従来から知られる電球形蛍光灯や白熱電球に代替する照明用光源として積極的に開発が進められている（特許文献１）。
【０００３】
ＬＥＤ電球は、例えば、ＬＥＤを有するＬＥＤ光源と、ＬＥＤ光源を覆うグローブと、ＬＥＤを駆動するための駆動回路と、駆動回路を囲むように構成された外郭筐体と、ＬＥＤを発光させるための電力を受電する口金とを備える。このように構成されるＬＥＤ電球は、口金を照明器具のソケットに装着することによって使用される。
【先行技術文献】
【特許文献】
【０００４】
【特許文献１】特開２００６−３１３７１７号公報
【発明の概要】
【発明が解決しようとする課題】
【０００５】
上記したＬＥＤ電球は、通常、その口金は外郭筐体等に機械的に、例えばかしめなどによって固定されているのであり、その口金の接続部分に僅かな隙間が存在し得る。つまり、口金を外郭筐体の一部に螺合させて接続する場合、口金と外郭筐体との接続部分には隙間が存在し、完全に密閉されるものではない。
【０００６】
ＬＥＤ電球の内部にはＬＥＤ光源や駆動回路等の電子部品が設けられているので、口金の接続部分に隙間が存在すると、ＬＥＤ電球の内部に水分（湿気）が浸入し、ＬＥＤ光源や駆動回路等が劣化するという問題がある。
【０００７】
また、ＬＥＤ電球は、家庭や各種施設の室内で使用されるだけではなく、雨に曝される屋外や水回り、冷蔵庫等の湿気の高い環境でも使用される場合がある。この場合、ＬＥＤ電球の内部に浸入する水分量も多くなり、ＬＥＤ光源や駆動回路等の劣化が顕著になる。
【０００８】
このように、ＬＥＤ電球では、口金部分からの水分の浸入をどのようにして防ぐかが課題となっている。
【０００９】
本発明は、このような課題を解決するためになされたものであり、簡単な構成で防水性に優れた照明用光源及び照明装置を提供することを目的とする。
【課題を解決するための手段】
【００１０】
上記目的を達成するために、本発明に係る照明用光源の一態様は、照明器具のソケットに装着される照明用光源であって、第１開口部及び第２開口部を有する筐体と、前記第１開口部を塞ぐように前記筐体に取り付けられたグローブと、前記第２開口部を塞ぐように前記筐体に取り付けられ、前記ソケットに装着される口金と、発光素子を有し、前記グローブに覆われた光源部とを備え、前記筐体の外面の少なくとも一部は、フラット面であり、前記フラット面は、前記口金が前記ソケットに装着されたときに、前記ソケットの開口部の環状端部に当接することを特徴とする。
【００１１】
また、本発明に係る照明用光源の一態様において、当該照明用光源は、回転させることにより前記ソケットに装着され、前記フラット面の法線は、当該照明用光源の回転軸と略一致していてもよい。
【００１２】
また、本発明に係る照明用光源の一態様において、前記筐体は、前記第１開口部を有する第１筐体部と、前記第２開口部を有する第２筐体部と、前記第１筐体部と前記第２筐体部とを接続する第３筐体部とを有し、前記第１筐体部及び前記第３筐体部は、円筒側壁を有し、前記第１筐体部の外径は、前記第３筐体部の外径よりも大きく、前記第１筐体部は、当該第１筐体部の前記円筒側壁と前記第３筐体部の前記円筒側壁とを接続する環状板を有し、前記環状板の外面は、前記フラット面である、としてもよい。
【００１３】
また、本発明に係る照明用光源の一態様において、さらに、前記筐体の内方に配置された駆動回路を備えていてもよい。
【００１４】
また、本発明に係る照明装置の一態様は、照明用光源と、前記照明用光源が装着されるソケットを有する照明器具とを備える照明装置であって、前記照明用光源は、第１開口部及び第２開口部を有する筐体と、前記第１開口部を塞ぐように前記筐体に取り付けられたグローブと、前記第２開口部を塞ぐように前記筐体に取り付けられ、前記ソケットに装着される口金と、発光素子を有し、前記グローブに覆われた光源部とを備え、前記ソケットは、外郭をなすソケット筐体と、前記ソケット筐体の内部に配置され、前記口金と電気的に接続される接続部とを備え、前記筐体の外面の少なくとも一部は、フラット面であり、前記ソケット筐体は、前記開口部を有し、前記フラット面は、前記開口部の環状端部に当接していることを特徴とする。
【００１５】
また、本発明に係る照明装置の一態様において、前記照明用光源は、回転させることにより前記ソケットに装着され、前記フラット面の法線は、前記照明用光源の回転軸と略一致していてもよい。
【００１６】
また、本発明に係る照明装置の一態様において、前記筐体は、前記第１開口部を有する第１筐体部と、前記第２開口部を有する第２筐体部と、前記第１筐体部と前記第２筐体部とを接続する第３筐体部とを有し、前記第１筐体部及び前記第３筐体部は、円筒側壁を有し、前記第１筐体部の外径は、前記第３筐体部の外径よりも大きく、前記第１筐体部は、当該第１筐体部の前記円筒側壁と前記第３筐体部の前記円筒側壁とを接続する環状板を有し、前記環状板の外面は、前記フラット面である、としてもよい。
【００１７】
また、本発明に係る照明装置の一態様において、前記ソケット筐体の前記開口部の環状端部は、フラット面である、としてもよい。
【００１８】
また、本発明に係る照明装置の一態様において、さらに、前記筐体の内方に配置された駆動回路を備えていてもよい。
【発明の効果】
【００１９】
本発明によれば、簡単な構成で防水性を確保することができる。さらに、本発明によれば、防塵性も確保することができる。
【図面の簡単な説明】
【００２０】
【図１】本発明の実施の形態に係るＬＥＤ電球の側面図である。
【図２】本発明の実施の形態に係るＬＥＤ電球の断面図である。
【図３】本発明の実施の形態に係る照明装置の外観斜視図である。
【図４】本発明の実施の形態に係る照明装置の要部断面図である。
【発明を実施するための形態】
【００２１】
以下、本発明の実施の形態に係る照明用光源及び照明装置について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。なお、各図は、模式図であり、必ずしも厳密に図示されたものではない。
【００２２】
また、以下の実施の形態では、照明用光源の一例として、ＬＥＤ電球について説明する。
【００２３】
（ＬＥＤ電球）
まず、本実施の形態に係るＬＥＤ電球１の全体構成について、図１を用いて説明する。図１は、本発明の実施の形態に係るＬＥＤ電球の側面図である。
【００２４】
図１に示すように、本実施の形態に係るＬＥＤ電球１は、グローブ１０と、筐体２０と、口金３０と、ＬＥＤ光源４０と、駆動回路５０とを備えている。ＬＥＤ電球１は、グローブ１０と筐体２０と口金３０とによって外囲器が構成されている。
【００２５】
本実施の形態におけるＬＥＤ電球１は、冷蔵庫の庫内等に使用される比較的に小型のＬＥＤ電球である。例えば、Ｅ１４口金の場合、ＬＥＤ電球１のランプ全長（グローブ１０の頂部から口金３０の底部までの長さ）は約６３ｍｍであり、ランプ最外径（本実施の形態では、グローブ１０の最外径）は約φ２７ｍｍである。また、Ｅ１２口金の場合、ＬＥＤ電球１のランプ全長は約４７ｍｍであり、ランプ最外径は約φ２７ｍｍである。
【００２６】
次に、ＬＥＤ電球１の各構成部材について、図２を用いて詳細に説明する。図２は、本発明の実施の形態に係るＬＥＤ電球の断面図である。
【００２７】
なお、図２において、紙面上下方向に沿って描かれた一点鎖線はＬＥＤ電球１のランプ軸Ｊ（中心軸）を示しており、本実施の形態において、ランプ軸Ｊは、グローブ軸と一致している。また、ランプ軸Ｊとは、ＬＥＤ電球１を照明装置のソケットに取り付ける際の回転中心となる回転軸であり、口金３０の回転軸と一致している。
【００２８】
［グローブ］
図２に示すように、グローブ１０は、ＬＥＤ光源４０を覆う透光性カバーであって、ＬＥＤ光源４０から放出される光をランプ外部に取り出すように構成されている。したがって、グローブ１０の内面に入射したＬＥＤ光源４０の光は、グローブ１０を透過してグローブ１０の外部へと取り出される。
【００２９】
グローブ１０は、開口部１１を有する中空の回転体であり、本実施の形態では、開口部１１が絞られた略球状に構成されている。グローブ１０は、外郭筐体２０の第１開口部２０ａを塞ぐように筐体２０に取り付けられている。
【００３０】
グローブ１０は、内部のＬＥＤ光源４０を視認できるように透明であってもよく、また、グローブ１０に光拡散機能を持たせて透明でなくてもよい。グローブ１０に光拡散機能を持たせる場合、例えば、シリカや炭酸カルシウム等の光拡散材を含有する樹脂や白色顔料等をグローブ１０の内面又は外面の全面に塗布することによって乳白色の光拡散膜を形成すればよい。
【００３１】
グローブ１０の材質としては、シリカガラス等のガラス材、又は、アクリル（ＰＭＭＡ）やポリカーボネート（ＰＣ）等の樹脂材等を用いることができる。なお、グローブ１０の形状としては、一般的な電球形蛍光灯や白熱電球と同様の形状のガラスバルブを用いることができる。例えば、グローブ１０として、ＪＩＳのＣ７７１０に規定された、Ａ形、Ｇ形又はＥ形等を用いることができる。
【００３２】
［筐体］
図２に示すように、筐体２０は、ＬＥＤ光源を駆動させるための駆動回路５０を囲むように構成されている。筐体２０は、ＬＥＤ電球１の最外郭を構成する外郭筐体であり、外面がランプ外部に露出している。
【００３３】
筐体２０は、概略筒状に構成されており、グローブ側の開口部である第１開口部２０ａと、口金側の開口部である第２開口部２０ｂとを有する。
【００３４】
本実施の形態における筐体２０は、第１開口部２０ａを有する第１筐体部２１と、第２開口部２０ｂを有する第２筐体部２２と、第１筐体部２１と第２筐体部２２とを接続する第３筐体部２３とによって構成されている。
【００３５】
第１筐体部２１は、第１開口部２０ａを一方の開口とする円筒側壁（第１の円筒側壁）２１ａと、円筒側壁２１ａの他方の開口に接続された円環板（第１の円環板）２１ｂとによって構成されている。円筒側壁２１ａ及び円環板２１ｂの外面はランプ外部に露出する露出面である。円筒側壁２１ａと円環板２１ｂとによって、第１筐体部２１の折れ曲がり部が構成される。
【００３６】
円筒側壁２１ａは、筒軸がランプ軸Ｊと同じであって肉厚が一定の円筒状に構成されている。円筒側壁２１ａの外径及び内径は、ランプ軸Ｊの方向に沿って一定である。なお、円筒側壁２１ａは、外径及び内径が一定でなくてもよく、口金３０側に向かって漸次内径及び外径が小さくなるようにテーパ状に構成されていてもよい。
【００３７】
円環板２１ｂは、円環状（ドーナツ状）で板状に構成されている。円環板２１ｂの外面は、フラット面（平面）となっており、その法線はランプ軸Ｊと略一致している。円環板２１ｂの外周縁は円筒側壁２１ａに接続されており、円環板２１ｂの内周縁は第３筐体部２３の円筒側壁２３ａに接続されている。
【００３８】
後述するように、円環板２１ｂのフラット面は、ＬＥＤ電球１が照明器具のソケットに装着されたときに、ソケットの開口部の環状端部に当接する面となる。
【００３９】
第１筐体部２１の第１開口部２０ａにはグローブ１０が取り付けられており、第１開口部２０ａは、グローブ１０によって閉塞される。第１筐体部２１とグローブ１０とは、例えば、シリコーン樹脂等の接着剤によって固定することができる。
【００４０】
第２筐体部２２は、第２開口部２０ｂを一方の開口とする略円筒状に構成されている。第２筐体部２２の第２開口部２０ｂには、口金３０が取り付けられている。本実施の形態では、口金３０によって第２筐体部２２の全体が覆われているので、第２筐体部２２の外面は、ランプ外部に露出していない。
【００４１】
第２筐体部２２には口金３０と螺合するための螺合部が形成されており、口金３０は第２筐体部２２にねじ込まれることで第２筐体部２２に固定される。口金３０が第２筐体部２２に固定されることによって、第２開口部２０ｂが口金３０によって塞がれる。
【００４２】
第３筐体部２３は、第１筐体部２１と第２筐体部２２との間に配置されている。第３筐体部２３の一方端は第１筐体部２１に接続されており、第３筐体部２３の他方端は第２筐体部２２に接続されている。
【００４３】
第３筐体部２３は、肉厚一定の円筒状の円筒側壁（第２の円筒側壁）２３ａと、円環板状の円環板（第２の円環板）２３ｂとによって構成されている。円筒側壁２３ａ及び円環板２３ｂの外面はランプ外部に露出する露出面である。円筒側壁２３ａと円環板２３ｂとによって、第３筐体部２３の折れ曲がり部が構成される。
【００４４】
円筒側壁２３ａは、筒軸がランプ軸Ｊと同じであり、外径及び内径がランプ軸Ｊの方向に沿って一定となっている。なお、円筒側壁２３ａは、外径及び内径が一定でなくてもよく、口金３０側に向かって漸次内径及び外径が小さくなるようにテーパ状に構成されていてもよい。
【００４５】
円環板２３ｂは、外面がフラット面（平面）となっており、その法線はランプ軸Ｊと略一致している。円環板２３ｂの外周縁は円筒側壁２３ａに接続されており、円環板２３ｂの内周縁は第２筐体部２２に接続されている。
【００４６】
このように構成される筐体２０は、第１筐体部２１の円筒側壁２１ａの最大外径が第３筐体部２３の円筒側壁２３ａの最大外径よりも大きくなるように構成されており、円筒側壁２１ａの大径開口と円筒側壁２３ａの小径開口との間には円環板２１ｂが設けられている。このように、第１筐体部２１と第３筐体部２３との外径寸法差によって、第１筐体部２１と第３筐体部２３との間に顎状の段差部が構成される。また、この段差部の表面が、第１筐体部２１における円環板２１ｂのフラット面となる。
【００４７】
なお、本実施の形態では、円筒側壁２１ａ及び円筒側壁２３ａの各々の外径が一定であるので、第１筐体部２１と第３筐体部２３との外径寸法差も一定である。
【００４８】
このように構成される筐体２０は、例えばポリブチレンテレフタレート（ＰＢＴ）等の絶縁性樹脂材料等によって作製することができる。つまり、第１筐体部２１、第２筐体部２２及び第３筐体部２３は、樹脂成型によって一体成形される。
【００４９】
［口金］
口金３０は、ＬＥＤ光源４０のＬＥＤを発光させるための電力をランプ外部から受電する受電部である。口金３０をソケットにねじ込むことでＬＥＤ電球１を照明器具に装着することができる。
【００５０】
口金３０には、例えば商用の交流電力が供給される。本実施の形態における口金３０は二接点によって交流電力を受電し、口金３０で受電した電力は、リード線を介して駆動回路５０に入力される。
【００５１】
図２に示すように、口金３０は、第２開口部２０ｂを塞ぐように筐体２０に取り付けられている。本実施の形態における口金３０は、金属製の有底筒体形状であって、例えば、シェル部（第１導電部）３１と、アイレット部（第２導電部）３２と、シェル部３１とアイレット部３２とを絶縁する絶縁部３３とによって構成されている。
【００５２】
シェル部３１の外周面には、ＬＥＤ電球１が装着される照明器具のソケットの螺合させるための螺合部が形成されている。また、シェル部３１の内周面には、筐体２０の第２筐体部２２の螺合部に螺合させるための螺合部が形成されている。
【００５３】
絶縁部３３は、例えば黒ガラスによって構成されており、アイレット部３２は絶縁部３３によってシェル部３１に装着されている。
【００５４】
口金３０の種類は、特に限定されるものではないが、本実施の形態では、ねじ込み型のエジソンタイプ（Ｅ型）の口金を用いている。また、口金３０のサイズについても特に限定されるものではないが、例えば、Ｅ１４形又はＥ１２形等が挙げられる。
【００５５】
［ＬＥＤ光源］
ＬＥＤ光源４０は、例えば、ＬＥＤ等の発光素子を有する発光モジュールであって、ＬＥＤ電球１の光源部である。ＬＥＤ光源４０は、駆動回路５０からの直流電力によって、白色等の所定の色（波長）の光を放出する。ＬＥＤ光源４０は、グローブ１０に覆われており、本実施の形態では、グローブ１０内に収納されている。
【００５６】
図２に示すように、ＬＥＤ光源４０は、例えば、ＬＥＤ４１と、ＬＥＤ４１を実装するための基板４２とを備える。ＬＥＤ４１の実装数は、１つであってもよく、複数であってもよい。
【００５７】
ＬＥＤ４１は、例えば、ＳＭＤ型のＬＥＤ素子であり、凹部を有する樹脂製の容器と、凹部の中に実装されたＬＥＤチップ（ベアチップ）と、凹部内に封入された封止部材とを備える。
【００５８】
ＬＥＤチップとしては、例えば、通電されれば青色光を発する青色ＬＥＤチップを用いることができる。封止部材としては、透明樹脂又は蛍光体含有樹脂を用いることができる。蛍光体含有樹脂の場合、青色ＬＥＤチップから白色光を得ようとすると、封止部材としては、ＹＡＧ系の黄色蛍光体粒子が含有された透光性シリコーン樹脂を用いることができる。これにより、青色ＬＥＤチップが発した青色光の一部は封止部材に含まれる黄色蛍光体粒子によって黄色光に波長変換され、黄色蛍光体粒子に吸収されなかった青色光と黄色蛍光体粒子によって波長変換された黄色光とが混ざって白色光となって封止部材から放出される。
【００５９】
なお、ＬＥＤ４１は、ＬＥＤチップ（ベアチップ）でもよく、この場合、封止部材（透明樹脂又は蛍光体含有樹脂）は、ＬＥＤ４１を覆うように形成される。
【００６０】
基板４２は、金属配線がパターン形成されたＬＥＤ実装基板であり、例えば、セラミックス基板、樹脂基板又はメタルベース基板を用いることができる。なお、基板４２は、駆動回路５０の回路基板としてもよい。この場合、ＬＥＤ４１は、回路素子が実装された回路基板に直接実装されることになる。
【００６１】
このように構成されるＬＥＤ光源４０は、例えば、筐体２０に固定することができる。あるいは、筐体２０内に配置された支持台（ヒートシンク）等にＬＥＤ光源４０を配置してもよい。この場合、支持台としては、ＬＥＤ光源４０から発生する熱を効率良く放熱させるために、アルミニウム等の金属によって構成することが好ましい。
【００６２】
［駆動回路］
筐体２０の内方には、ＬＥＤ光源４０を駆動させるための駆動回路５０が配置される。駆動回路５０は、ＬＥＤ光源４０を点灯させるための点灯回路（電源回路）であって、リード線等を介してＬＥＤ光源４０に所定の電力を供給する。駆動回路５０は、例えば、口金３０から供給される交流電力を直流電力に変換し、当該直流電力をＬＥＤ光源４０に供給する。
【００６３】
駆動回路５０は、回路基板と、回路基板に実装された複数の回路素子とによって構成されている。回路基板は、例えば、一方の面（半田面）に銅箔等の金属配線がパターニングされたプリント配線基板（ＰＷＢ：Ｐｒｉｎｔｅｄ  Ｗｉｒｉｎｇ  Ｂｏａｒｄ）である。回路素子（回路部品）は、例えば、電解コンデンサやセラミックコンデンサ等の容量素子、抵抗器等の抵抗素子、整流回路素子、コイル素子、チョークコイル（チョークトランス）、ノイズフィルタ、ダイオード又は集積回路素子等の半導体素子等である。
【００６４】
なお、駆動回路５０は、筐体２０に固定されていてもよいが、筐体２０内に別途配置された樹脂製の回路ホルダ（回路ケース）に固定されていてもよい。
【００６５】
（照明装置）
次に、本発明の実施の形態に係る照明装置２について、図３及び図４を用いて説明する。図３は、本発明の実施の形態に係る照明装置の外観斜視図である。図４は、本発明の実施の形態に係る照明装置の要部断面図である。
【００６６】
本実施の形態に係る照明装置２は、例えば、冷蔵庫の庫内に取り付けられて使用されるものであり、図３及び図４に示すように、上記のＬＥＤ電球１と、照明器具（点灯器具）１００とを備える。
【００６７】
照明器具１００は、ＬＥＤ電球１が装着されるソケット１１０を有する。図４に示すように、ソケット１１０は、ソケット１１０の外郭をなすソケット筐体１１１と、ソケット筐体１１１の内部に配置された接続部１１２とを有する。
【００６８】
ソケット筐体１１１は、ソケット１１０の外郭筐体であり、例えば、絶縁性樹脂材料によって構成することができる。ソケット筐体１１１は、ランプ軸Ｊを軸とする回転体であり、例えば、側周壁が２段状に構成された有底円筒部材である。
【００６９】
ソケット筐体１１１は、ＬＥＤ電球１の筐体２０の一部と口金３０とを囲むように構成されている。具体的には、ソケット筐体１１１は、筐体２０の露出する部分のうちの第３筐体部２３と口金３０とを覆うように構成されている。
【００７０】
ソケット筐体１１１は、ＬＥＤ電球１が差し込まれる開口を構成する開口部１１１ａを有する。開口部１１１ａの端部は、円環状に構成された環状端部であり、本実施の形態において、環状端部は円環状のフラット面となっている。開口部１１１ａの環状端部のフラット面の法線は、ランプ軸Ｊと略一致している。
【００７１】
接続部１１２は、金属等の導電部材からなり、ソケット筐体１１１の底部に設けられている。接続部１１２は、ＬＥＤ電球１の口金３０がソケット１１０に差し込まれたときに、口金３０と二接点で接触する。これにより、接続部１１２と口金３０とが電気的に接続される。
【００７２】
接続部１１２は、口金３０のシェル部３１と接触して電気的に接続される第１接続部１１２ａと、口金３０のアイレット部３２と接触して電気的に接続される第２接続部１１２ｂとによって構成されている。
【００７３】
第１接続部１１２ａは、シェル部３１の螺合部と螺合するように形成されている。つまり、口金３０を接続部１１２にねじ込むことによってＬＥＤ電球１がソケット１１０に取り付けられて、第１接続部１１２ａとシェル部３１とが接触して導通する。
【００７４】
また、第２接続部１１２ｂは、例えば、板バネ状に形成されており、口金３０が第１接続部１１２ａの奥にねじ込まれることによって、第２接続部１１２ｂとアイレット部３２とが接触して導通する。
【００７５】
接続部１１２には、例えば、ソケット外部の外部電源から交流電力が供給される。これにより、ＬＥＤ電球１の口金３０には、接続部１１２を介して外部電源からの交流電力が供給される。
【００７６】
このように構成される照明器具１００に対して、口金３０をランプ軸Ｊに沿ってソケット１１０にねじ込むことによってＬＥＤ電球１を照明器具１００に装着させることができる。
【００７７】
この場合、ソケット筐体１１１の開口部１１１ａの環状端部がＬＥＤ電球１の筐体２０の段差部の表面に当接することによって、ＬＥＤ電球１の照明器具１００へのねじ込みが完了する。
【００７８】
このとき、ソケット筐体１１１の開口部１１１ａの環状端部は、その周方向において、ＬＥＤ電球１の筐体２０における第１筐体部２１の円環板２１ｂの外面（フラット面）に当接する。つまり、筐体２０の顎状の段差部の表面には、ソケット筐体１１１の開口部１１１ａの環状端部が当接している。
【００７９】
このように、本実施の形態では、口金３０をソケット１１０にねじ込むことによって、ソケット筐体１１１の開口部１１１ａの環状端部を第１筐体部２１の円環板２１ｂの外面（フラット面）に当接させている。つまり、口金３０をソケット１１０にねじ込むときの締め付け力によって、第１筐体部２１の円環板２１ｂの外面（フラット面）に対して、ソケット筐体１１１の開口部１１１ａの環状端部を押しつけている。
【００８０】
この結果、開口部１１１ａの環状端部によって円環板２１ｂの外面（フラット面）に押圧力を付与することができるので、開口部１１１ａと円環板２１ｂの外面（フラット面）との間に実質的に隙間がないようにして、ソケット筐体１１１の開口部１１１ａとＬＥＤ電球１の筐体２０（第１筐体部２１）とを密着させることができる。
【００８１】
以上により、口金３０が装着されたソケット１１０内への水分の浸入を抑制することができるので、口金３０と筐体２０とのねじ込み部分の隙間から筐体２０内に水分が浸入することを抑制できる。これにより、ＬＥＤ光源４０や駆動回路５０等の電子部品が水分によって劣化することを抑制することができる。したがって、防水性に優れたＬＥＤ電球を実現することができる。
【００８２】
さらに、本実施の形態では、ソケット筐体１１１の開口部１１１ａと第１筐体部２１の円環板２１ｂの外面（フラット面）との間に隙間がないので、ソケット１１０内に埃や微小異物が入り込んでくることも抑制できる。これにより、ソケット１１０の接続部１１２と口金３０との間において電気的な不具合が発生することを抑制できる。また、ＬＥＤ電球１内への埃や微小異物の侵入も抑制できるので、ＬＥＤ光源４０や駆動回路５０等に電気的な不具合が発生することを抑制できる。したがって、防塵性に優れたＬＥＤ電球を実現することができる。
【００８３】
以上、本実施の形態によれば、防水性及び防塵性に優れたＬＥＤ電球１及び照明装置２とすることができ、冷蔵庫等の湿気の多い環境で使用される場合でも、信頼性の高いＬＥＤ電球及び照明装置を実現することができる。
【００８４】
また、本実施の形態において、第１筐体部２１の円環板２１ｂの外面（フラット面）の法線は、ランプ軸Ｊと略一致、すなわち、口金３０をソケット１１０にねじ込むときのＬＥＤ電球１の回転軸と略一致している。
【００８５】
これにより、口金３０をソケット１１０にねじ込んでいったときに、第１筐体部２１の円環板２１ｂの外面（フラット面）に、ソケット筐体１１１の開口部１１１ａの環状端部を当接させることができる。したがって、簡単な構成で、開口部１１１ａと円環板２１ｂの外面（フラット面）との間の隙間を無くすことができる。
【００８６】
また、本実施の形態において、第１筐体部２１の円環板２１ｂの外面だけではなく、開口部１１１ａの環状端部もフラット面である。
【００８７】
これにより、円環板２１ｂの外面と開口部１１１ａの環状端部とを面接触させることができるので、円環板２１ｂの外面と開口部１１１ａの環状端部との間から水分や埃等が入り込むことを一層抑制できる。したがって、さらに防水性及び防塵性に優れたＬＥＤ電球１及び照明装置２とすることができる。
【００８８】
（変形例）
以上、本発明に係るＬＥＤ電及び照明装置について、実施の形態に基づいて説明したが、本発明は、これらの実施の形態に限定されるものではない。
【００８９】
例えば、上記の実施の形態において、ＬＥＤ光源４０は、青色ＬＥＤチップと黄色蛍光体とによって白色光を放出するように構成したが、これに限らない。例えば、演色性を高めるために、黄色蛍光体に加えて、さらに赤色蛍光体や緑色蛍光体を混ぜても構わない。また、黄色蛍光体を用いずに、赤色蛍光体及び緑色蛍光体を含有する蛍光体含有樹脂を用いて、これと青色ＬＥＤチップとを組み合わせることによりに白色光を放出するように構成することもできる。なお、ＬＥＤ光源４０を白色光以外の光を発するように構成してもよい。
【００９０】
また、上記の実施の形態において、ＬＥＤチップは、青色以外の色を発光するＬＥＤチップを用いても構わない。例えば、紫外線発光のＬＥＤチップを用いる場合、蛍光体粒子としては、三原色（赤色、緑色、青色）に発光する各色蛍光体粒子を組み合わせたものを用いることができる。さらに、蛍光体粒子以外の波長変換材を用いてもよく、例えば、波長変換材として、半導体、金属錯体、有機染料、顔料など、ある波長の光を吸収し、吸収した光とは異なる波長の光を発する物質を含んでいる材料を用いてもよい。
【００９１】
また、上記の実施の形態において、発光素子としてＬＥＤを例示したが、半導体レーザ等の半導体発光素子、又は、有機ＥＬ（Ｅｌｅｃｔｒｏ  Ｌｕｍｉｎｅｓｃｅｎｃｅ）や無機ＥＬ等のＥＬ素子等その他の固体発光素子を用いてもよい。
【００９２】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【００９３】
１  ＬＥＤ電球（照明用光源）
２  照明装置
１０  グローブ
１１  開口部
２０  筐体
２０ａ  第１開口部
２０ｂ  第２開口部
２１  第１筐体部
２１ａ、２３ａ  円筒側壁
２１ｂ、２３ｂ  円環板
２２  第２筐体部
２３  第３筐体部
３０  口金
３１  シェル部
３２  アイレット部
３３  絶縁部
４０  ＬＥＤ光源（光源部）
４１  ＬＥＤ（発光素子）
４２  基板
５０  駆動回路
１００  照明器具
１１０  ソケット
１１１  ソケット筐体
１１１ａ  開口部
１１２  接続部
１１２ａ  第１接続部
１１２ｂ  第２接続部
【図１】
2014175099.tif 000003
【図２】
2014175099.tif 000004
【図３】
2014175099.tif 000005
【図４】
2014175099.tif 000006